(57)【特許請求の範囲】
【請求項１】
機体の外郭をなす外枠と、該外枠の開口前面側に開閉及び着脱自在に取付けられる前枠を備えた遊技機において前記前枠の裏面側には、遊技に係る各種の制御を実行する制御装置が装備されており、該制御装置の内部に収容される遊技機用の制御基板であって、
前記制御基板には、前記前枠の裏側に装着される他の制御基板と電気的に接続するための複数の端子を１列に配置したコネクタと複数の端子を２列に配置したコネクタが設けられているとともに、前記制御基板は前記コネクタを外部に露出させた状態で前記制御装置の内部に収容されており、
前記複数の端子を１列に配置したコネクタと前記複数の端子を２列に配置したコネクタは、それぞれの端子が同一方向に列を形成するよう横並びで配置されており、
各コネクタの各端子を挿入するよう前記制御基板に形成されたスルーホール群の近傍には、最初のスルーホールから数えて何番目のスルーホールであるかを外部から認識可能とするための標識となる端子の番号を示す数字を設け、
前記端子を１列に配置したコネクタの前記スルーホール群の数え順は、一方の端のスルーホールから他方の端のスルーホールに向けて１つずつ数えるように設定されており、
前記端子を１列に配置したコネクタの前記スルーホール群の近傍には、前記数え順が最初と最後のスルーホールのそれぞれに対応する位置に前記標識が設けられているとともに、
前記端子を２列に配置したコネクタの前記スルーホール群の数え順は、１列目の端子を挿入するスルーホールと２列目の端子を挿入するスルーホールを交互に１つずつ数えるように設定されており、
前記端子を２列に配置したコネクタの前記スルーホール群の近傍には、前記スルーホール群の両端に位置し、前記数え順が最初と最後のスルーホール、及び前記最初のスルーホールに対し前記数え順が次の順番のスルーホールと前記最後のスルーホールに対し前記数え順が１つ前の順番のスルーホールのそれぞれに対応する位置に前記標識が設けられている遊技機用の制御基板。
【請求項２】
前記端子を２列に配置したコネクタの前記スルーホール群の近傍には、前記標識の数え順方向を示す補助標識となる矢印がさらに設けられている請求項１に記載の遊技機用の制御基板。
【請求項３】
前記制御基板には、長矩形状に形成された前記端子を１列に配置したコネクタの形状に沿って輪郭線が設けられているとともに、該輪郭線の近傍には前記端子を１列に配置したコネクタの装着位置を認識可能とするための位置表示用文字が設けられており、
前記端子を１列に配置したコネクタの前記スルーホール群の近傍には、前記最初のスルーホールから所定数離れたスルーホールに対応する位置であって、前記輪郭線の一方の長辺側に前記標識がさらに設けられている一方で、前記輪郭線の他方の長辺側に前記最初と最後のスルーホールに対応する前記標識と前記位置表示用文字が設けられている請求項１又は請求項２に記載の遊技機用の制御基板。
【請求項４】
機体の外郭をなす外枠と、該外枠の開口前面側に開閉及び着脱自在に取付けられる前枠を備えた遊技機において前記前枠の裏面側には、遊技に係る各種の制御を実行する制御装置が装備されており、該制御装置の内部に収容される遊技機用の制御基板であって、
前記制御基板には、前記前枠の裏側に装着される他の制御基板と電気的に接続するための複数の端子を１列に配置したコネクタと複数の端子を２列に配置したコネクタが設けられているとともに、前記制御基板は前記コネクタを外部に露出させた状態で前記制御装置の内部に収容されており、
前記複数の端子を１列に配置したコネクタと前記複数の端子を２列に配置したコネクタは、それぞれの端子が同一方向に列を形成するよう横並びで配置されており、
各コネクタの各端子を挿入するよう前記制御基板に形成されたスルーホール群の近傍には、最初のスルーホールから数えて何番目のスルーホールであるかを外部から認識可能とするための標識となる端子の番号を示す数字を設け、
前記端子を１列に配置したコネクタの前記スルーホール群の近傍には、最初と最後のスルーホールのそれぞれに対応する位置に前記標識が設けられているとともに、
前記端子を２列に配置したコネクタの前記スルーホール群の近傍には、最初のスルーホールに対応する位置、又は前記最初と最後のスルーホールのそれぞれに対応する位置に前記標識が設けられ、かつ当該標識の数え順方向を示す補助標識となる矢印が設けられている遊技機用の制御基板。
【発明の詳細な説明】
【０００１】
【発明の属する技術分野】
本発明は、パチンコ遊技機に備えられる遊技機用の制御基板に係り、詳しくは複数の端子を有するコネクタが装着されている制御基板に関するものである。
【０００２】
【従来の技術】
従来、パチンコ遊技機に備えられる基板には複数のスルーホールが設けられ、同スルーホールの周りには、ＩＣ（集積回路）やコネクタ等の複数の実装部品の形状を示した輪郭線が記載されている。また、前記スルーホールの近傍において、前記輪郭線の外側には、ＩＣ及びコネクタ等を取付けるための目印である位置表示用文字が記載されている。そして、前記スルーホールに各々対応する端子が装着されることにより、ＩＣやコネクタ等の各実装部品は基板上の前記輪郭線内に配設される。
【０００３】
このような基板において、プログラムや回路の変更時、又は何か不具合が起きたとき等に実装部品の所定の端子における入出力信号を検査する場合には、１番目の端子から順番に数えて所望する端子を探し出していた。そして、その端子にテスターを当てることにより入出力の信号を測るようにしていた。
【０００４】
【発明が解決しようとする課題】
しかしながら、従来、基板に取付けられる実装部品の端子の数は非常に多く、それに加えて、それらの端子は同一形状で小さいため、１番目から順に端子を数えていくと端子の数え間違いがあったりして、検査に手間がかかるという問題があった。そして、このように各端子の入出力信号を検査する機会は多く、その度に所定の端子を見つけだすために１番目の端子から順に数えなくてはいけないという問題があった。
【０００５】
本発明は上記した問題を解決するためになされたものであり、その目的は、特定の端子を検査する際に、誤った順で端子の数を数えることなく、迅速に検査を行うことができる遊技機用の制御基板を提供することにある。
【０００６】
【課題を解決するための手段】
上記問題点を解決するために、請求項１に記載の発明は、機体の外郭をなす外枠と、該外枠の開口前面側に開閉及び着脱自在に取付けられる前枠を備えた遊技機において前記前枠の裏面側には、遊技に係る各種の制御を実行する制御装置が装備されており、該制御装置の内部に収容される遊技機用の制御基板であって、前記制御基板には、前記前枠の裏側に装着される他の制御基板と電気的に接続するための複数の端子を１列に配置したコネクタと複数の端子を２列に配置したコネクタが設けられているとともに、前記制御基板は前記コネクタを外部に露出させた状態で前記制御装置の内部に収容されており、前記複数の端子を１列に配置したコネクタと前記複数の端子を２列に配置したコネクタは、それぞれの端子が同一方向に列を形成するよう横並びで配置されており、各コネクタの各端子を挿入するよう前記制御基板に形成されたスルーホール群の近傍には、最初のスルーホールから数えて何番目のスルーホールであるかを外部から認識可能とするための標識となる端子の番号を示す数字を設け、前記端子を１列に配置したコネクタの前記スルーホール群の数え順は、一方の端のスルーホールから他方の端のスルーホールに向けて１つずつ数えるように設定されており、前記端子を１列に配置したコネクタの前記スルーホール群の近傍には、前記数え順が最初と最後のスルーホールのそれぞれに対応する位置に前記標識が設けられているとともに、前記端子を２列に配置したコネクタの前記スルーホール群の数え順は、１列目の端子を挿入するスルーホールと２列目の端子を挿入するスルーホールを交互に１つずつ数えるように設定されており、前記端子を２列に配置したコネクタの前記スルーホール群の近傍には、前記スルーホール群の両端に位置し、前記数え順が最初と最後のスルーホール、及び前記最初のスルーホールに対し前記数え順が次の順番のスルーホールと前記最後のスルーホールに対し前記数え順が１つ前の順番のスルーホールのそれぞれに対応する位置に前記標識が設けられていることを要旨とする。
【０００７】
請求項２に記載の発明は、請求項１に記載の遊技機用の制御基板において、前記端子を２列に配置したコネクタの前記スルーホール群の近傍には、前記標識の数え順方向を示す補助標識となる矢印がさらに設けられていることを要旨とする。
【０００８】
請求項３に記載の発明は、請求項１又は請求項２に記載の遊技機用の制御基板において、前記制御基板には、長矩形状に形成された前記端子を１列に配置したコネクタの形状に沿って輪郭線が設けられているとともに、該輪郭線の近傍には前記端子を１列に配置したコネクタの装着位置を認識可能とするための位置表示用文字が設けられており、前記端子を１列に配置したコネクタの前記スルーホール群の近傍には、前記最初のスルーホールから所定数離れたスルーホールに対応する位置であって、前記輪郭線の一方の長辺側に前記標識がさらに設けられている一方で、前記輪郭線の他方の長辺側に前記最初と最後のスルーホールに対応する前記標識と前記位置表示用文字が設けられていることを要旨とする。
【０００９】
請求項４に記載の発明は、機体の外郭をなす外枠と、該外枠の開口前面側に開閉及び着脱自在に取付けられる前枠を備えた遊技機において前記前枠の裏面側には、遊技に係る各種の制御を実行する制御装置が装備されており、該制御装置の内部に収容される遊技機用の制御基板であって、前記制御基板には、前記前枠の裏側に装着される他の制御基板と電気的に接続するための複数の端子を１列に配置したコネクタと複数の端子を２列に配置したコネクタが設けられているとともに、前記制御基板は前記コネクタを外部に露出させた状態で前記制御装置の内部に収容されており、前記複数の端子を１列に配置したコネクタと前記複数の端子を２列に配置したコネクタは、それぞれの端子が同一方向に列を形成するよう横並びで配置されており、各コネクタの各端子を挿入するよう前記制御基板に形成されたスルーホール群の近傍には、最初のスルーホールから数えて何番目のスルーホールであるかを外部から認識可能とするための標識となる端子の番号を示す数字を設け、前記端子を１列に配置したコネクタの前記スルーホール群の近傍には、最初と最後のスルーホールのそれぞれに対応する位置に前記標識が設けられているとともに、前記端子を２列に配置したコネクタの前記スルーホール群の近傍には、最初のスルーホールに対応する位置、又は前記最初と最後のスルーホールのそれぞれに対応する位置に前記標識が設けられ、かつ当該標識の数え順方向を示す補助標識となる矢印が設けられていることを要旨とする。
【００１０】
【発明の実施の形態】
以下、本発明をパチンコ遊技機に備えられる基板に具体化した一実施形態を図１〜図４に従って説明する。なお、以下の説明において「右」又は「左」は特に断らない限り、機裏側から見た場合の「右」又は「左」を示すものとする。
【００１１】
本実施形態のパチンコ遊技機は、図１に示すように、機体の外郭をなす外枠１１の開口前面側に、前枠１２が開閉及び着脱可能に取付けられ、前枠１２の裏側には、各種の球経路及び処理部を備えた機構セット盤１３が着脱可能にセットされている。機構セット盤１３の略中央部には前記前枠１２にセット保持された遊技盤１４の大きさと対応する窓口１３ａが形成され、前記遊技盤１４の裏面には該遊技盤１４の表面に設けられた映像表示部（図示しない）の映像内容を制御する映像表示基板１５等が取付けられている。
【００１２】
前記機構セット盤１３の裏面側において、前記窓口１３ａの下方、即ち、機構セット盤１３の下部外側には、ゲーム内容を制御する主制御基板２０を備える主制御装置２１及びセーフ球検出処理と貯留球排出処理（賞球払出しと貸し球）を制御する払出し制御基板２２を備える払出し制御装置２３が並設されている。そして、主制御装置２１よりも下方位置には機表側の打球発射装置の作動状態を制御する発射制御基板を備える発射制御装置２４と、スピーカから発せられる効果音を制御する音制御基板を備える音制御装置２５が設けられている。
【００１３】
次に、前記主制御基板２０について詳しく説明する。
図２に略示すように、主制御基板２０における基板本体２９には実装部品としての複数の集積回路（以下、「ＩＣ」という。）３０が装着されると共に、同じく実装部品としてのコンデンサ３１、抵抗器３２、コネクタ３３〜３６等が装着されている。各ＩＣ３０、コンデンサ３１、抵抗器３２、コネクタ３３〜３６等の装着位置における基板本体２９上には装着時における各ＩＣ３０等の取付方向を外部から認識可能とするための輪郭線３７が印刷されており、各輪郭線３７の近傍には当該輪郭線３７内に装着される各ＩＣ３０等の種別を認識可能とするための位置表示用文字（例えば、抵抗器３２であれば、「Ｒ１」等）３８が印刷されている。
【００１４】
図２において、前記基板本体２９の右下隅部には前記ＩＣ３０の一つであり、ゲーム内容を制御する制御信号等を入出力する中央処理装置（以下、「ＣＰＵ」という。）３９が装着されている。前記ＣＰＵ３９は略長矩形状に形成されており、片側（図２においては左側）の短辺部４０には凹部４０ａが設けられている。そして、基板本体２９におけるＣＰＵ３９の装着位置にはＣＰＵ３９の形状に沿って輪郭線３７が印刷されている。即ち、前記輪郭線３７は長矩形状の線に凹部が併記された形状になっている。また、前記輪郭線３７の近傍にはＣＰＵ３９の装着位置であることを認識するための「ＩＣ１」という位置表示用文字３８が印刷されている。図３に示すように、前記輪郭線３７の内部にはスルーホール群４１が２列に亘って設けられ、同スルーホール群４１は複数のスルーホール（本実施形態では４０個）４１ａから構成されている。そして、ＣＰＵ３９における相対向する両長辺部４２にはそれぞれ複数の端子（本実施形態においては２０ずつ）３９ａが備えられており、同端子３９ａは前記スルーホール４１ａに挿入され基板本体２９の裏面でハンダにて固定されている。この結果、前記各端子３９ａを介して様々な信号がＣＰＵ３９に対して入出力されるようになっている。
【００１５】
前記基板本体２９における長辺部４２に対向する輪郭線３７の外側、即ち、端子３９ａが挿入されるスルーホール群４１の近傍には、前記輪郭線３７に沿うように標識４３が印刷されている。ＣＰＵ３９の装着位置において前記標識４３は、表示手段としてのアラビア数字４４及び目盛り４５とにより構成されている。前記目盛り４５はＣＰＵ３９の各端子３９ａと対向する位置に複数（本実施形態では４０本）印刷されており、ＣＰＵ３９の四隅に位置する目盛り４５及び５つおきに位置する目盛り４５は他の目盛り４５よりも長く表記されている。そして、四隅に位置する目盛り４５の付近にはＣＰＵ３９の四隅に位置する各端子３９ａの番号を示す１，２０，２１，４０というアラビア数字４４が印刷されている。さらに、５つおきに位置して、他の目盛りよりも長く表記される目盛り４５の付近には、５，１０，１５，２５，３０，３５というアラビア数字４４が印刷されている。
【００１６】
図２に示すように、前記基板本体２９の上部には他の制御基板２２や制御装置２４，２５等と電気的に接続するための複数のコネクタ（本実施形態では４個）３３〜３６が装着されている。第１〜第４コネクタ３３〜３６は略長矩形状に形成されており、基板本体２９には各コネクタ３３〜３６の形状に沿って輪郭線３７が印刷されている。即ち、前記輪郭線３７は略長矩形状に記載されている。図４に示すように、前記各輪郭線３７の内部にはスルーホール群４１をなす複数のスルーホール４１ａが貫設されている。各コネクタ３３〜３６にはそれぞれ複数の端子３３ａ〜３６ａが備えられており、同端子３３ａ〜３６ａは前記スルーホール４１ａに挿入され基板本体２９の裏面でハンダにより固定されている。また、前記輪郭線３７の近傍には各コネクタ３３〜３６の装着位置を認識可能とするための「ＣＮ１」や「ＣＮ４」等の位置表示用文字３８がそれぞれ印刷されている。
【００１７】
前記基板本体２９における各コネクタ３３〜３６の輪郭線３７の外側、即ち、端子３３ａ〜３６ａが挿入されるスルーホール群４１の近傍には、前記輪郭線３７に沿って標識４３が印刷されている。コネクタ３３〜３６の装着位置において前記標識４３は、アラビア数字４４のみ、又は表示手段としてのアラビア数字４４とアルファベット文字４６にて構成されている。まず、一列に各端子３３ａ，３５ａが並ぶ第１及び第３コネクタ３３，３５においては、最初の端子３３ａ，３５ａ及び最後の端子３３ａ，３５ａに対応する位置とその中央の位置にその端子３３ａ，３５ａの番号を記した１，７，１３及び１，５，８というアラビア数字４４が印刷されている。また、端子３６ａの数が少ない第４コネクタ３６においては、最初の端子３６ａ及び最後の端子３６ａに対応する位置にその端子３６ａの番号を記した１，６というアラビア数字４４が印刷されている。
【００１８】
また、２列に亘って設けられたスルーホール群４１に各端子３４ａが挿入される第２コネクタ３４においては、その端子３４ａの列方向に沿って第２コネクタ３４の両端部に位置する各２本の端子３４ａと対応する位置に１，２及び１９，２０というアラビア数字４４が印刷されている。そして、前記アラビア数字４４の近傍には、端子３４ａの数え順方向を示す補助標識としての矢印４９が記されている。また、このコネクタ３４については、アラビア数字４４の他に、輪郭線３７の近傍に第２コネクタ３４の各端子３４ａから入出力される信号の具体的名称を示すＬＭＰ，ＳＯＬ，及びＬＥＤというアルファベット文字４６が印刷されている。
【００１９】
次に上記のように構成された主制御基板２０の作用を説明する。
まず、基板本体２９にＣＰＵ３９を装着する場合においては、前記基板本体２９上に記載されている「ＩＣ１」という位置表示用文字３８を確認し、また、輪郭線３７の凹部とＣＰＵ３９の凹部４０ａが一致するように取付方向を決めて、ＣＰＵ３９の端子３９ａを基板本体２９のスルーホール４１ａに挿入する。また、コネクタ３３〜３６を基板本体２９に装着する場合においては、基板本体２９上に記載されている例えば「ＣＮ１」等の位置表示用文字３８を確認し、輪郭線３７の形状に加えて、輪郭線３７に沿って記載されている最初と最後のアラビア数字４４とコネクタ３３〜３６上の端子３３ａ〜３６ａの番号が合うように取付方向を決めて取付ける。
【００２０】
次いで、ＣＰＵ３９に対して入出力される信号が正しいかどうか特定の端子３９ａを用いて検査する場合について説明する。通常、各端子３９ａに入出力される信号は予めその端子３９ａの番号と共に分かっている。従って、種々の理由により特定の信号がＣＰＵ３９に入出力されているか否かを検査する際には、端子３９ａの番号によってその信号の検査位置は指示される。検査する端子３９ａが、例えば２５番目に位置する端子３９ａであるときには、「２５」というアラビア数字４４の記載位置を確認して、その文字に対応する端子３９ａを見ることにより、迅速にその端子３９ａの位置は確認される。そして、その端子３９ａに治具を当て、テスターの波形を見ることにより、その端子３９ａから正しく入出力信号が出されているかが確認される。
【００２１】
また、検査する端子３９ａが例えば基板本体２９にアラビア数字４４にて記載されていない１９番目に位置する端子３９ａであるときには、その番号に近いアラビア数字４４（例えば「２０」）を確認し、そこから、輪郭線３７に沿って記載されている目盛り４５をたどっていくことにより、迅速にその端子３９ａの位置は確認され検査される。このように、ＣＰＵ３９の四隅の番号及び５の倍数である番号の端子３９ａは基板本体２９上のアラビア数字４４にて容易に且つ迅速に認識されると共に、それ以外の番号の端子３９ａについては目盛り４５をたどることで、容易に且つ迅速に認識される。
【００２２】
次に、コネクタ３３〜３６に対して入出力される信号を検査する場合において説明する。
第１及び第３コネクタ３３，３５については、各コネクタ３３，３５に備えられている端子３３ａ，３５ａの数はＣＰＵ３９と異なり少ないため、所定の端子３３ａ，３５ａの番号が指示される場合は、最初の数字４４、最後の数字４４、又はその中間の数字４４のうちいずれか１つのアラビア数字４４を確認し、そこから端子３３ａ，３５ａをたどっていくことにより、所望する端子３３ａ，３５ａの位置は迅速に認識される。また第４コネクタ３６については、さらに備えられている端子３６ａの数は少ないため、特定の端子３６ａの番号が指示された場合でも、最初の数字４４又は最後の数字４４のいずれか一方のアラビア数字４４を確認しそこから端子３６ａの番号をたどっていくことにより、迅速に所望する端子３６ａは認識される。
【００２３】
そして、２列に端子３４ａが並ぶ第２コネクタ３４については、最初２つと最後２つの数字４４と共にそれらの端子３４ａの数え順が矢印４９にて示されているため、端子３４ａの数え順番を間違えることなく所望する端子３４ａまでの番号が数えられる。さらに、第２コネクタ３４に関しては、アラビア数字４４以外に所定の端子３４ａから入出力される信号の具体的名称を示すＬＭＰ，ＳＯＬ，及びＬＥＤというアルファベット文字４６が印刷されているため、それぞれの端子３４ａの機能の違いが明確に分かり、さらに迅速に所望する端子３４ａが確認され検査される。
【００２４】
従って、上記実施形態によれば、以下のような効果を得ることができる。
（１）上記実施形態では、ＣＰＵ３９及びコネクタ３３〜３６が装着されるスルーホール４１ａの近傍に印刷された各端子３３ａ〜３６ａ，３９ａと対応する番号を示すアラビア数字４４により、特定の端子３３ａ〜３６ａ，３９ａを見つけだす場合、まず、アラビア数字４４を確認することで、いちいち一番目の端子３３ａ〜３６ａ，３９ａから所望する端子３３ａ〜３６ａ，３９ａまで順番に数えていく必要がなく、容易に且つ迅速に所望する端子３３ａ〜３６ａ，３９ａの位置を確認することができる。従って、特定の端子３３ａ〜３６ａ，３９ａの入出力信号を検査する場合でも迅速に検査を行うことができる。
【００２５】
（２）上記実施形態では、最初と最後の端子３３ａ〜３６ａ，３９ａに対応する位置にアラビア数字４４が記してあるため、そのＣＰＵ３９若しくはコネクタ３３〜３６が備えている端子３３ａ〜３６ａ，３９ａの数が容易に認識できる。
【００２６】
（３）上記実施形態では、ＣＰＵ３９における各アラビア数字４４の間には目盛り４５が記載されているため、特定の端子３９ａの番号が５の倍数でなくても、いちいち端子３９ａを見ないで所望する端子３９ａの位置を確認できる。
【００２７】
（４）上記実施形態では、２列に端子３４ａが並ぶ第２コネクタ３４には最初と最後の２本ずつの端子３４ａに対応したアラビア数字４４が記してあり、さらに、各端子３４ａの番号の数え順を示す矢印４９が記してあるため、所望する番号の端子３４ａを見つける際に、誤った順で端子３４ａを数えるおそれがない。
【００２８】
（５）さらに、上記実施形態では、第２コネクタ３４に対するスルーホール４１ａの近傍に、アラビア数字４４以外に所定の端子３４ａから入出力される信号の具体的名称を示すＬＭＰ，ＳＯＬ，及びＬＥＤというアルファベット文字４６が印刷されているため、それぞれの端子３４ａの機能の違いが明確に分かり、さらに迅速に所望する端子３４ａを確認することができる。
【００２９】
（６）上記実施形態では、コネクタ３３〜３６に対して、その最初の端子３３ａ〜３６ａ及び最後の端子３３ａ〜３６ａに対するアラビア数字４４が記してあるため、ＣＰＵ３９と異なり、コネクタ３３〜３６及び輪郭線３７に凹部等が設けられていなくても差し間違いのおそれはない。
【００３０】
（７）上記実施形態では、ＣＰＵ３９に対するスルーホール群４１において、５つ毎にアラビア数字４４が記載されているため、所望する端子３９ａの位置を予測し易い。従って、さらに迅速に検査を行うことができる。
【００３１】
なお、上記実施形態は以下のような別例に変更して具体化してもよい。
・上記実施形態では、端子３３ａ〜３６ａ，３９ａの位置を把握する標識用の文字としてアラビア数字４４及びアルファベット文字を用いたが、漢字等の他の文字を用いてもよい。
【００３２】
・上記実施形態では、ＣＰＵ３９の標識４３はアラビア数字４４と目盛り４５にて構成したが、図５及び図６並びに図７に示すように、表示手段としての記号４７とアラビア数字４４にて標識４３を構成してもよい。図５によれば、ＣＰＵ３９の四隅にアラビア数字４４を印刷し、その間は５つおきに同じ記号４７が印刷されている。このようにすれば、文字を用いる場合と異なり、大きさを考慮しなくてよいため、スペースが規制されても、容易に端子３９ａの位置を認識できる。
【００３３】
また、図６に示すように、５つおきの記号４７を全て同じ記号にせずに、記載される記号４７をそれぞれ異なるようにしてもよい。このようにすれば、同じ記号４７を用いる場合と異なり、各記号４７の区別が容易にでき、迅速に端子３９ａの位置は確認できる。
【００３４】
また、図７に示すように、５の倍数にあたる位置は○で、１０の倍数にあたる位置は△というように、一定の法則をもたせて記号４７が異なるようにしてもよい。
【００３５】
さらに、各記号を着色して色で記号４７を区別するようにしてもよいし、アラビア数字４４を用いずに記号４７のみで標識４３を構成してもよい。
・上記実施形態では、ＣＰＵ３９の標識４３はアラビア数字４４と目盛り４５にて構成したが、図８に示すように、四隅に位置するアラビア数字４４に加えて、輪郭線３７に沿って端子３９ａの５つ分に相当する横長状のエリア４８を記載し、それらをそれぞれ異なる色で着色してもよい。尚、図８においては、標識４３は表示手段としてのエリア４８とアラビア数字４４にて構成される。
【００３６】
・上記実施形態では、各アラビア数字４４の間に目盛り４５が記載されていたが、目盛り４５は記載しなくてもよい。
・上記実施形態では、アラビア数字４４はＣＰＵ３９の四隅以外に５つ毎に記載されていたが、例えば１０毎や２つ毎等、各実装部品のスペースに収まるならばどのような間隔で記載してもよい。また、標識４３を掲載するスペースに規制があるときは、ＣＰＵ３９の四隅の位置のみ、又は最初と最後の端子３９ａの位置のみに掲載してもよい。
【００３７】
・上記実施形態では、基板本体２９における輪郭線３７に沿って、基板本体２９の表面に標識４３を記載したが、基板の裏面に記載してもよい。また、ＣＰＵ３９及びコネクタ３３〜３６等が基板本体２９の側縁部に配設されている場合には、基板本体２９の側面に標識４３を記してもよい。
【００３８】
・上記実施形態では、標識４３が記載される場所としてパチンコ遊技機における主制御基板２０に具体化したが、これに限らず払出し制御基板２２や発射制御基板等他の基板に具体化させてもよい。さらに、パチンコ遊技機の基板に限らず、他の遊技機等に取付けられる基板に具体化させてもよい。
【００３９】
・上記実施形態では、標識４３はＣＰＵ３９とコネクタ３３〜３６に対するスルーホール群４１の近傍のみに設けられていたが、ＣＰＵ３９以外の他のＩＣ３０等、基板本体２９上に装着される他の実装部品に対するスルーホール群４１の近傍にも掲載してもよい。
【００４０】
・上記実施形態では、ＳＯＬ等の所定の端子３４ａから入出力される信号の具体的名称を示すアルファベット文字４６は基板本体２９上において第２コネクタ３４の装着位置にのみ記載されていたが、他のコネクタ３３，３５，３６の装着位置に設けてもよい。また、ＳＯＬ等の入出力される信号の具体的名称を示すアルファベット文字４６を記載する場所はコネクタ３３〜３６だけに限らずスルーホール４１ａに対して直接配線がされている実装部品の入出力部（図示しない）に対しても記載してよい。
【００４１】
・上記実施形態では、端子３９ａはＣＰＵ３９の長辺部４２にのみ設けられていたが、四辺全てに端子３９ａをもつＣＰＵ３９であってもよい。このようにした場合は、その四辺の端子３９ａに対応するように、標識４３は設けられる。
【００４２】
・さらに、コネクタ３３〜３６の数、及びＣＰＵ３９及びコネクタ３３〜３６の端子３３ａ〜３６ａ，３９ａの数は上記実施形態の数に限定されることなくいくつでもよい。
【００４３】
次に、上記実施形態及び各別例から把握できる請求項に記載した発明以外の技術的思想について、それらの効果と共に以下に記載する。
（１）請求項１〜請求項４のうちいずれか１項に記載の基板において、前記スルーホール群は複数列のスルーホール群からなり、そのスルーホール群の近傍には前記標識の数え順方向を示す補助標識が設けられている基板。このようにすれば、複数列に亘ってスルーホールが設けられている場合でも、補助標識に従って数えていくことにより数え順を間違えるおそれがない。
【００４４】
【発明の効果】
以上詳述したように、本発明によれば、特定の端子を検査する際に、誤った順で端子の数を数えることなく、迅速に検査を行うことができる。
【図面の簡単な説明】
【図１】本実施形態におけるパチンコ遊技機を略示する背面図。
【図２】同じく主制御基板を略示する正面図。
【図３】同じくＣＰＵが取付けられる前の主制御基板を略示する要部正面図。
【図４】同じくコネクタが取付けられる前の主制御基板を略示する要部正面図。
【図５】別の実施形態における主制御基板を略示する要部正面図。
【図６】別の実施形態における主制御基板を略示する要部正面図。
【図７】別の実施形態における主制御基板を略示する要部正面図。
【図８】別の実施形態における主制御基板を略示する要部正面図。
【符号の説明】
３３〜３６…コネクタ（実装部品）、３９…ＣＰＵ（実装部品）、３３ａ〜３６ａ，３９ａ…端子、４１…スルーホール群、４１ａ…スルーホール、４３…標識、４４…アラビア数字（表示手段）、４５…目盛り（表示手段）、４６…アルファベット文字（表示手段）。
【図１】
0003976974.tif 000002
【図２】
0003976974.tif 000003
【図３】
0003976974.tif 000004
【図４】
0003976974.tif 000005
【図５】
0003976974.tif 000006
【図６】
0003976974.tif 000007
【図７】
0003976974.tif 000008
【図８】
0003976974.tif 000009